(57)【要約】      （修正有）【課題】無線基地局に分散配置された複数のアンテナを備え、リアルタイムにアンテナ切替やアンテナ合成を行うことにより伝送特性を改善する。【解決手段】複数の端末局１１−１、１１−２〜１１−ｎが同一周波数チャネルを用いて同時に送信した信号を、分散配置された複数のアンテナを用いた上り回線のマルチユーザＭＩＭＯ伝送によって受信を行うときに、分散配置された複数のアンテナを所定数のアンテナごとに複数のアンテナ群２１−１〜２１−ｍに分割し、アンテナ群ごとに相対的に近距離にある１つの端末局からの受信信号が既知位相である、もしくは事前設定される位相情報を有するものとし、アンテナ群ごとに、各アンテナの受信信号の位相を検出し、既知位相もしくは事前設定される位相を基準に各アンテナの受信信号を同位相合成し、アンテナ群ごとに同位相合成した信号を用いて上り回線のマルチユーザＭＩＭＯ伝送の受信を行う。【選択図】図１
2019029687.tif 000002
【特許請求の範囲】
【請求項１】
複数の端末局が同一周波数チャネルを用いて同時に送信した信号を、分散配置された複数のアンテナを用いた上り回線のマルチユーザＭＩＭＯ伝送によって受信を行う無線基地局の制御方法において、
前記分散配置された複数のアンテナを所定数のアンテナごとに複数のアンテナ群に分割し、アンテナ群ごとに相対的に近距離にある１つの端末局からの受信信号が既知位相である、もしくは事前設定される位相情報を有するものとし、
前記アンテナ群ごとに、各アンテナの受信信号の位相を検出し、前記既知位相もしくは前記事前設定される位相を基準に各アンテナの受信信号を同位相合成する第１のステップと、
前記アンテナ群ごとに前記同位相合成した信号を用いて上り回線のマルチユーザＭＩＭＯ伝送の受信を行う第２のステップと
を有することを特徴とする無線基地局の制御方法。
【請求項２】
請求項１に記載の無線基地局の制御方法において、
前記第１のステップは、前記アンテナ群の各アンテナの受信信号の位相が検出不可の場合に、他のアンテナの受信信号と単純に合成する
ことを特徴とする無線基地局の制御方法。
【請求項３】
複数の端末局が同一周波数チャネルを用いて同時に送信した信号を、分散配置された複数のアンテナを用いた上り回線のマルチユーザＭＩＭＯ伝送によって受信を行う無線基地局の制御方法において、
前記分散配置された複数のアンテナを所定数のアンテナごとに複数のアンテナ群に分割し、アンテナ群ごとに相対的に近距離にある１つの端末局からの受信信号が既知位相であるもしくは事前設定される位相情報を有し、さらに、当該１つの端末局が既知であるものとし、
前記アンテナ群ごとに、各アンテナの受信信号の位相および送信元を検出し、該送信元が既知でない信号を除外し、前記既知位相もしくは前記事前設定される位相を基準に各アンテナの受信信号を同位相合成する第１のステップと、
前記アンテナ群ごとに前記同位相合成した信号を用いて上り回線のマルチユーザＭＩＭＯ伝送の受信を行う第２のステップと
を有することを特徴とする無線基地局の制御方法。
【請求項４】
請求項３に記載の無線基地局の制御方法において、
前記第１のステップは、前記アンテナ群の各アンテナの受信信号の位相および送信元が検出不可の場合に、他のアンテナの受信信号と単純に合成する
ことを特徴とする無線基地局の制御方法。
【請求項５】
複数の端末局が同一周波数チャネルを用いて同時に送信した信号を、分散配置された複数のアンテナを用いた上り回線のマルチユーザＭＩＭＯ伝送によって受信を行う無線基地局において、
前記分散配置された複数のアンテナを所定数のアンテナごとに複数のアンテナ群に分割し、アンテナ群ごとに相対的に近距離にある１つの端末局からの受信信号が既知位相とする構成、もしくは事前設定される位相情報を有する構成であり、
前記アンテナ群ごとに、各アンテナの受信信号の位相を検出し、前記既知位相もしくは前記事前設定される位相を基準に各アンテナの受信信号を同位相合成するアンテナ群制御手段と、
前記アンテナ群ごとに前記同位相合成した信号を用いて上り回線のマルチユーザＭＩＭＯ伝送の受信を行うマルチユーザＭＩＭＯ受信処理手段と
を備えたことを特徴とする無線基地局。
【請求項６】
請求項５に記載の無線基地局において、
前記アンテナ群制御手段は、各アンテナの受信信号の位相が検出不可の場合に、他のアンテナの受信信号と単純に合成する構成である
ことを特徴とする無線基地局。
【請求項７】
複数の端末局が同一周波数チャネルを用いて同時に送信した信号を、分散配置された複数のアンテナを用いた上り回線のマルチユーザＭＩＭＯ伝送によって受信を行う無線基地局において、
前記分散配置された複数のアンテナを所定数のアンテナごとに複数のアンテナ群に分割し、アンテナ群ごとに相対的に近距離にある１つの端末局からの受信信号が既知位相とする構成、もしくは事前設定される位相情報を有する構成であり、さらに、当該１つの端末局が既知である構成とし、
前記アンテナ群ごとに、各アンテナの受信信号の位相および送信元を検出し、該送信元が既知でない信号を除外し、前記既知位相もしくは前記事前設定される位相を基準に各アンテナの受信信号を同位相合成するアンテナ群制御手段と、
前記アンテナ群ごとに前記同位相合成した信号を用いて上り回線のマルチユーザＭＩＭＯ伝送の受信を行うマルチユーザＭＩＭＯ受信処理手段と
を備えたことを特徴とする無線基地局。
【請求項８】
請求項７に記載の無線基地局において、
前記アンテナ群制御手段は、各アンテナの受信信号の位相および送信元が検出不可の場合に、他のアンテナの受信信号と単純に合成する構成である
ことを特徴とする無線基地局。
【発明の詳細な説明】
【技術分野】
【０００１】
本発明は、分散配置された複数のアンテナ（分散アンテナ）を備え、複数の端末局に対して、同一の周波数チャネルでマルチユーザＭＩＭＯ伝送を行う無線基地局および無線基地局の制御方法に関する。
【背景技術】
【０００２】
５ＧHz帯を用いた高速無線アクセスシステムとして、ＩＥＥＥ802.11ａ規格がある。このシステムは、マルチパスフェージング環境での特性を安定化させるための技術である直交周波数分割多重（ＯＦＤＭ：Orthogonal Frequency Division Multiplexing）変調方式を用い、最大で54Ｍbit/s のスループットを実現している。
【０００３】
さらに、ＩＥＥＥ802.11ｎ規格では、複数のアンテナを用いて同一の無線チャネルで空間分割多重を行うＭＩＭＯ（Multiple input multiple output）技術や、これまで個別に用いられていた20ＭHzの周波数チャネルを２つ同時に利用して40ＭHzの周波数チャネルを利用するチャネルボンディング技術によって高速通信の実現を目指し、最大 600Ｍbit/s の伝送速度を実現している。
【０００４】
さらに、ＩＥＥＥ802.11ａｃ規格では、20ＭHzの周波数チャネル４つを同時に利用して80ＭHzの周波数チャネルとして利用するチャネルボンディング技術や、マルチユーザＭＩＭＯ技術を用いて同一の周波数チャネルで、複数の無線局に対して同時に伝送を行う空間分割多元接続（ＳＤＭＡ：spatial division multiple access）伝送技術が採用され、ＩＥＥＥ802.11ｎ規格より高速かつ高効率な無線通信を実現している。
【０００５】
図６は、上り回線のマルチユーザＭＩＭＯ伝送システムの概要を示す。
図６において、無線基地局１０は、複数の端末局１１−１〜１１−ｎから送信される信号を複数のアンテナによって受信し、各アンテナの受信信号に対して受信ウエイト処理を適用することにより、同一の周波数チャネルで複数の端末局１１−１〜１１−ｎからの信号を同時受信する。Ｈ1 〜Ｈn は、無線基地局１０のアンテナと端末局１１−１〜１１−ｎとの間の伝搬チャネル情報である。この伝搬チャネル情報は、無線基地局１０の受信ウエイトを算出する際に用いられ、無線基地局１０は受信ウエイト処理を適用することにより複数の端末局１１−１〜１１−ｎからの信号を同時受信することができる。
【０００６】
図７は、上り回線のマルチユーザＭＩＭＯ伝送システムの動作例を示す。
図７において、無線基地局１０は、ＣＳＭＡ／ＣＡ（Carrier Sense Multiple Access / Collision Avoidance ；搬送波検知多重アクセス／衝突回避）制御により、ランダムな時間間隔でキャリアセンス（ＣＳ）を行い、通信周波数帯域が使用されていないアイドル状態と、通信周波数帯域が使用されているビジー状態のいずれであるのかを判定する。無線基地局１０がアイドル状態であることを検出すると、上り回線のマルチユーザＭＩＭＯ伝送を開始するためのトリガー信号（ＴＲＧ）を送信する。
【０００７】
端末局１１−１〜１１−ｎは、無線基地局１０から送信されたトリガー信号に従い、送信電力および中心周波数を補正した送信信号（Ｄａｔａ＃１〜Ｄａｔａ＃ｎ）を生成し、トリガー信号の受信時刻を基準として同時に無線基地局１０宛に送信する。なお、送信信号は、例えば無線通信に適合したフレームに変換されている。また、フレームアグリゲーションが適用されている場合、送信信号は所定数のフレームが連結されたデータユニットとなる。
【０００８】
無線基地局１０は、複数の端末局１１−１〜１１−ｎからの送信信号を複数のアンテナによって受信し、各アンテナの受信信号に対して受信ウエイト処理を適用することにより、同一の周波数チャネルで複数の端末局１１−１〜１１−ｎからの信号を同時受信する。
【０００９】
さらに、無線基地局１０は、各受信信号が正しく受信されたことを通知する応答確認信号（ＡＣＫ＃１〜ＡＣＫ＃ｎ）を各端末局１１−１〜１１−ｎに送信する。ここでの無線基地局１０からの送信方法は、下り回線のマルチユーザＭＩＭＯ伝送や下り回線のＯＦＤＭＡ伝送などが利用される。
【００１０】
さらに、上記に示す伝送技術に加えて、無線基地局が有する複数のアンテナを分散配置することで、無線基地局のアンテナと端末局のアンテナとの間の距離を縮め、結果的に各端末局からの信号の受信電力を向上させる分散アンテナ技術の検討も進んでいる（非特許文献１）。
【先行技術文献】
【非特許文献】
【００１１】
【非特許文献１】Roh, Wonil, and Arogyaswami Paulraj. "MIMO channel capacity for the distributed antenna." Vehicular Technology Conference, 2002. Proceedings. VTC 2002-Fall. 2002 IEEE 56th. Vol. 2. IEEE, 2002.
【発明の概要】
【発明が解決しようとする課題】
【００１２】
背景技術に示した技術の組合せとして、上り回線のマルチユーザＭＩＭＯ伝送に分散アンテナを適用する構成が考えられるが、その構成法には大きく分けて２種類ある。
【００１３】
一つ目は、分散配置される無線基地局の全てのアンテナに対して、アナログ／デジタルコンバータを接続する構成である。この構成の特徴は、無線基地局のアンテナで受信したアナログ信号をデジタル信号に変換することで、すべてのアンテナで受信した信号を利用したデジタル信号処理を行うことができるため、伝送特性が非常に良好となる。しかしながら、デメリットとして、全アンテナ数と同数のアナログ／デジタルコンバータが必要となるため、分散配置されるアンテナ数の増加に応じて、装置費用、計算コスト、消費電力が増加することとなる。
【００１４】
二つ目は、分散配置されるアンテナの数がアナログ／デジタルコンバータの数よりも多いことを前提に、スイッチによるアンテナの切替を適応的に行う構成や複数の信号を合成する構成がある。これらの構成の特徴は、一つ目の構成法と比較して、アナログ／デジタルコンバータの総数が少量となることから、装置費用、計算コスト、消費電力が抑えられること、さらに、一つ目の構成法よりは劣るが、より良いアンテナの選択や複数のアンテナの信号合成によって、伝送特性の改善が可能である。
【００１５】
しかしながら、アンテナ切替やアンテナ合成を実現する場合には、事前に分散アンテナと各端末局との間の伝搬特性を把握することが必要となる。したがって、事前情報を取得するための制御信号付加が必要となる。さらに、伝搬特性が時間的に変化した場合には、伝送特性の劣化が発生する。
【００１６】
本発明は、無線基地局に分散配置された複数のアンテナを備えた上り回線のマルチユーザＭＩＭＯ伝送システムにおいて、リアルタイムにアンテナ切替やアンテナ合成を行うことにより伝送特性を改善する無線基地局および無線基地局の制御方法を提供することを目的とする。
【課題を解決するための手段】
【００１７】
第１の発明は、複数の端末局が同一周波数チャネルを用いて同時に送信した信号を、分散配置された複数のアンテナを用いた上り回線のマルチユーザＭＩＭＯ伝送によって受信を行う無線基地局の制御方法において、分散配置された複数のアンテナを所定数のアンテナごとに複数のアンテナ群に分割し、アンテナ群ごとに相対的に近距離にある１つの端末局からの受信信号が既知位相である、もしくは事前設定される位相情報を有するものとし、アンテナ群ごとに、各アンテナの受信信号の位相を検出し、既知位相もしくは事前設定される位相を基準に各アンテナの受信信号を同位相合成する第１のステップと、アンテナ群ごとに同位相合成した信号を用いて上り回線のマルチユーザＭＩＭＯ伝送の受信を行う第２のステップとを有する。
【００１８】
第１の発明の無線基地局の制御方法において、第１のステップは、アンテナ群の各アンテナの受信信号の位相が検出不可の場合に、他のアンテナの受信信号と単純に合成する。
【００１９】
第２の発明は、複数の端末局が同一周波数チャネルを用いて同時に送信した信号を、分散配置された複数のアンテナを用いた上り回線のマルチユーザＭＩＭＯ伝送によって受信を行う無線基地局の制御方法において、分散配置された複数のアンテナを所定数のアンテナごとに複数のアンテナ群に分割し、アンテナ群ごとに相対的に近距離にある１つの端末局からの受信信号が既知位相であるもしくは事前設定される位相情報を有し、さらに、当該１つの端末局が既知であるものとし、アンテナ群ごとに、各アンテナの受信信号の位相および送信元を検出し、該送信元が既知でない信号を除外し、既知位相もしくは事前設定される位相を基準に各アンテナの受信信号を同位相合成する第１のステップと、アンテナ群ごとに同位相合成した信号を用いて上り回線のマルチユーザＭＩＭＯ伝送の受信を行う第２のステップとを有する。
【００２０】
第２の発明の無線基地局の制御方法において、第１のステップは、アンテナ群の各アンテナの受信信号の位相および送信元が検出不可の場合に、他のアンテナの受信信号と単純に合成する。
【００２１】
第３の発明は、複数の端末局が同一周波数チャネルを用いて同時に送信した信号を、分散配置された複数のアンテナを用いた上り回線のマルチユーザＭＩＭＯ伝送によって受信を行う無線基地局において、分散配置された複数のアンテナを所定数のアンテナごとに複数のアンテナ群に分割し、アンテナ群ごとに相対的に近距離にある１つの端末局からの受信信号が既知位相とする構成、もしくは事前設定される位相情報を有する構成であり、アンテナ群ごとに、各アンテナの受信信号の位相を検出し、既知位相もしくは事前設定される位相を基準に各アンテナの受信信号を同位相合成するアンテナ群制御手段と、アンテナ群ごとに同位相合成した信号を用いて上り回線のマルチユーザＭＩＭＯ伝送の受信を行うマルチユーザＭＩＭＯ受信処理手段とを備える。
【００２２】
第３の発明の無線基地局において、アンテナ群制御手段は、各アンテナの受信信号の位相が検出不可の場合に、他のアンテナの受信信号と単純に合成する構成である。
【００２３】
第４の発明は、複数の端末局が同一周波数チャネルを用いて同時に送信した信号を、分散配置された複数のアンテナを用いた上り回線のマルチユーザＭＩＭＯ伝送によって受信を行う無線基地局において、分散配置された複数のアンテナを所定数のアンテナごとに複数のアンテナ群に分割し、アンテナ群ごとに相対的に近距離にある１つの端末局からの受信信号が既知位相とする構成、もしくは事前設定される位相情報を有する構成であり、さらに、当該１つの端末局が既知である構成とし、アンテナ群ごとに、各アンテナの受信信号の位相および送信元を検出し、該送信元が既知でない信号を除外し、既知位相もしくは事前設定される位相を基準に各アンテナの受信信号を同位相合成するアンテナ群制御手段と、アンテナ群ごとに同位相合成した信号を用いて上り回線のマルチユーザＭＩＭＯ伝送の受信を行うマルチユーザＭＩＭＯ受信処理手段とを備える。
【００２４】
第４の発明の無線基地局において、アンテナ群制御手段は、各アンテナの受信信号の位相および送信元が検出不可の場合に、他のアンテナの受信信号と単純に合成する構成である。
【発明の効果】
【００２５】
本発明は、分散配置されるアンテナ群ごとに相対的に近距離にある１つの端末局からの受信信号の位相または送信元を既知とし、アンテナ群の各アンテナで、受信信号の位相または送信元のみを検出する簡単な構成により、リアルタイムにアンテナ切替やアンテナ合成を行って伝送特性を改善することができる。
【図面の簡単な説明】
【００２６】
【図１】本発明が適用される上り回線のマルチユーザＭＩＭＯ伝送システムの概要を示す図である。
【図２】受信信号のフレームフォーマットの一例を示す図である。
【図３】本発明の第１の特徴に対応する無線基地局２０の実施例１の構成例を示す図である。
【図４】本発明の無線基地局２０の実施例１における処理手順例を示すフローチャートである。
【図５】本発明の第２の特徴に対応する無線基地局２０の実施例２の構成例を示す図である。
【図６】上り回線のマルチユーザＭＩＭＯ伝送システムの概要を示す図である。
【図７】上り回線のマルチユーザＭＩＭＯ伝送システムの動作例を示すタイムチャートである。
【発明を実施するための形態】
【００２７】
図１は、本発明が適用される上り回線のマルチユーザＭＩＭＯ伝送システムの概要を示す。
【００２８】
図１において、無線基地局２０は、それぞれが複数のアンテナからなるアンテナ群２１−１〜２１−ｍを分散配置し、複数の端末局１１−１〜１１−ｎから送信される信号をアンテナ群２１−１〜２１−ｍの各アンテナで受信し、アンテナ群ごとに各アンテナの受信信号を合成して受信ウエイト処理を適用することよって、同一の周波数チャネルにおける複数の端末局からの信号の同時受信を行う。アンテナ群の数（ｍ）は端末局の数（ｎ）以上とし、各アンテナ群からみて相対的に近距離にある１つの端末局が特定されるものとする。また、当該端末局からの信号位相が既知であるもしくは事前設定される位相情報を有するものとする。Ｈ1 〜Ｈn は、端末局１１−１〜１１−ｎから無線基地局２０のアンテナ群２１−１〜２１−ｍに対する伝搬チャネル情報であり、無線基地局２０で受信ウエイトを算出する際に用いられる。
【００２９】
本発明の第１の特徴は、無線基地局２０のアンテナ群ごとに、各アンテナの受信信号から簡易な受信装置を用いて位相を検出して同位相合成し、アンテナ群ごとに対応する端末局からの信号電力を増加させて受信処理し、マルチユーザＭＩＭＯ伝送用信号処理に供するところにある。なお、アンテナ群における各アンテナの受信信号は、近距離の所定の端末局からの信号レベルが他の端末局からの信号レベルに比べて大きいので、所定の端末局からの受信信号の位相を検出して同位相合成することができる。一方、アンテナ群の各アンテナにおいて、複数の端末局からの受信信号が干渉するなどして位相を検出できない場合には、同位相合成ではなく単純な合成になる。
【００３０】
本発明の第２の特徴は、第１の特徴に加えて、アンテナ群ごとに、各アンテナの受信信号から簡易な受信装置を用いて送信元を検出し、所定の端末局以外からの受信信号を合成しないようにするところにある。なお、アンテナ群に対応する所定の端末局以外からの受信信号は、他のアンテナ群で受信されるので支障はない。また、アンテナ群における各アンテナの受信信号から送信元を検出できない場合には、そのまま合成されることになる。
【００３１】
図３は、本発明の第１の特徴に対応する無線基地局２０の実施例１の構成例を示す。
図３において、無線基地局２０は、分散配置される複数のアンテナ群２１−１〜２１−ｍと、アンテナ群の各アンテナに対応する簡易受信部２２−１〜２２−ｍおよび位相変換部２３−１〜２３−ｍと、アンテナ群に対応する合成部２４−１〜２４−ｍおよび受信部２５−１〜２５−ｍと、伝搬チャネル情報推定部２６、受信ウエイト生成部２７、マルチユーザＭＩＭＯ伝送用信号処理部２８から構成される。なお、簡易受信部２２−ｉおよび位相変換部２３−ｉ（ｉは１〜ｍ）は、アンテナ群２１−ｉの各アンテナに対応してそれぞれ複数設けられるが、ここではアンテナ群ごとに同一符号を付している。また、本図では本発明に関係する受信系のみの構成を示し、送信系の構成については省略している。
【００３２】
アンテナ群２１−ｉの各アンテナの受信信号は、それぞれ簡易受信部２２−ｉおよび位相変換部２３−ｉに入力する。簡易受信部２２−ｉは、アンテナ群２１−ｉの各アンテナの受信信号の位相のみを検出する非常に簡易な構成であり、さらに、アンテナ群２１−ｉに近接する所定の端末局に対応する既知位相もしくは事前設定される位相との位相差を検出し、位相変換部２３−ｉに出力する。
【００３３】
受信信号のフレームフォーマットの一例として、ＩＥＥＥ８０２．１１ａｃで規定された無線ＬＡＮ信号のフレームフォーマットを図２に示す。簡易受信部２２−ｉでは、従来の無線ＬＡＮ規格との互換性を確保するためのプリアンブルであるＬ−ＳＴＦからＬ−ＳＩＧの中のＬ−ＳＴＦ、Ｌ−ＬＴＦ、もしくは両方のプリアンブルから本受信信号の位相を検出する。
【００３４】
アンテナ群２１−ｉの位相変換部２３−ｉは、簡易受信部２２−ｉで検出された位相差情報に応じて、各アンテナの受信信号の位相を所定の端末局に対応する既知位相もしくは事前設定される位相に揃え、合成部２４−ｉに出力する。
【００３５】
合成部２４−ｉでは、アンテナ群ごとに各アンテナの受信信号を同位相合成し、受信部２５−ｉに出力する。ここで、簡易受信部２２−ｉで位相を検出できない受信信号については、位相変換部２３−ｉをスルーして合成部２５−ｉに入力し、他の受信信号と合成される。すなわち、アンテナ群ごとに各アンテナの受信信号のうち、位相を検出できる比較的近距離の所定の端末局からの受信信号が同位相合成されることになり、結果的にアンテナ群２１−ｉに近距離の所定の端末局からの受信信号電力が増大して受信部２５−ｉに入力することになる。
【００３６】
受信部２５−１〜２５−ｍは、それぞれ合成部２４−１〜２４−ｍから入力する信号について、想定する無線システムで規定される周波数や送信電力から伝搬チャネル情報推定部２６およびマルチユーザＭＩＭＯ伝送用信号処理部２８で処理可能な信号形式に変換し、伝搬チャネル情報推定部２６およびマルチユーザＭＩＭＯ伝送用信号処理部２８に出力する。
【００３７】
伝搬チャネル情報推定部２６は、受信部２５−１〜２５−ｍから入力する信号に含まれるトレーニング信号から各端末局１１−１〜１１−ｎとの伝搬チャネル情報Ｈ1 〜Ｈn を推定し、受信ウエイト生成部２７に出力する。
【００３８】
受信ウエイト生成部２７は、伝搬チャネル情報推定部２６から入力する各端末局との伝搬チャネル情報Ｈ1 〜Ｈn から、一般的なマルチユーザＭＩＭＯ伝送で用いられる受信ウエイト算出方法に従い、受信ウエイトを算出してマルチユーザＭＩＭＯ伝送用信号処理部２８に出力する。
【００３９】
マルチユーザＭＩＭＯ伝送用信号処理部２８は、受信ウエイト生成部２７から入力する受信ウエイトに従い、アンテナ群２１−１〜２１−ｍに対応する受信部２５−１〜２５−ｍから入力する信号に対して受信ウエイト処理を行い、各端末局１１−１〜１１−ｎから送信された信号の分離を行い、各信号を外部に出力する。
【００４０】
本発明の無線基地局２０の実施例１の構成に対する端末局１１−１〜１１−ｎは、一般的な上り回線のマルチユーザＭＩＭＯ伝送システムで用いられる端末局と同等の機能を有する構成である。
【００４１】
図４は、本発明の無線基地局２０の実施例１における処理手順例を示す。
図４において、複数の端末局１１−１〜１１−ｎからの送信信号を分散配置された複数のアンテナ群２１−１〜２１−ｍの各アンテナで受信する（ステップＳ０１）。次に、簡易受信部２２−１〜２２−ｍにおいて、アンテナ群の各アンテナの受信信号の位相を検出し、アンテナ群ごとに近距離の所定の端末局に対応する既知位相もしくは事前設定される位相との位相差を検出する（ステップＳ０２）。次に、位相変換部２３−１〜２３−ｍにおいて、アンテナ群の各アンテナの受信信号が同位相になるように変換する（ステップＳ０３）。次に、合成部２４−１〜２４−ｍにおいて、アンテナ群の各アンテナの受信信号を同位相合成して受信部２５−１〜２５−ｍに入力し、各合成信号を基地局内で信号処理可能な形式に変換する（ステップＳ０４）。次に、伝搬チャネル情報推定部２６において、伝搬チャネル情報を推定する（ステップＳ０５）。次に、受信ウエイト生成部２７において、推定した伝搬チャネル情報から受信ウエイトを算出する（ステップＳ０６）。最後に、マルチユーザＭＩＭＯ伝送用信号処理部２８において、入力信号の受信ウエイト処理を行い、各端末局からの送信信号を分離し、外部に出力する（ステップＳ０７）。
【００４２】
図５は、本発明の第２の特徴に対応する無線基地局２０の実施例２の構成例を示す。
図５において、実施例２の無線基地局２０は、図２に示す実施例１の無線基地局２０の構成の簡易受信部２２−１〜２２−ｍにおいて、アンテナ群２１−１〜２１−ｍの各アンテナの受信信号の送信元アドレスを検出する機能を付加し、送信元アドレスが比較的近距離の所定の端末局以外からの受信信号であれば減衰させる信号減衰部２９−１〜２９−ｍを備え、合成部２４−１〜２４−ｍで合成しない構成とする。その他の構成は、実施例１と同様である。
【００４３】
なお、簡易受信部２２−１〜２２−ｍでは、図２のフレームフォーマット内に含まれる送信アドレス情報を検出し、所定の端末局からの受信信号であるか否かを判定する構成とする。また、所定の端末局のアドレス情報は、図５では図示していない送信部から図７に示すトリガー信号内に含まれるアドレス情報を簡易受信部２２−１〜２２−ｍで取得するようにしてもよい。
【００４４】
アンテナ群ごとの信号低減部２９−１〜２９−ｍは、簡易受信部２２−１〜２２−ｍから入力された情報に従い、送信元＝所定の端末局であれば各アンテナの受信信号をスルーし、送信元≠所定の端末局であれば各アンテナの受信信号を減衰させる。以上の処理を図４に示すステップＳ０２およびステップＳ０３と並行して行う。
【符号の説明】
【００４５】
１０，２０  無線基地局
１１−１〜１１−ｎ  端末局
２１−１〜２１−ｍ  アンテナ群
２２−１〜２２−ｍ  簡易受信部
２３−１〜２３−ｍ  位相変換部
２４−１〜２４−ｍ  合成部
２５−１〜２５−ｍ  受信部
２６  伝搬チャネル情報推定部
２７  受信ウエイト生成部
２８  マルチユーザＭＩＭＯ伝送用信号処理部
２９−１〜２９−ｍ  信号減衰部
【図１】
2019029687.tif 000003
【図２】
2019029687.tif 000004
【図３】
2019029687.tif 000005
【図４】
2019029687.tif 000006
【図５】
2019029687.tif 000007
【図６】
2019029687.tif 000008
【図７】
2019029687.tif 000009